(57)【特許請求の範囲】
【請求項１】
炉の内部の燃料と投入された廃棄物を、空気吸込口を通じて引き込む空気を用いて熱分解し、発生するガスを排気パイプに排出させる熱分解炉と、
前記熱分解炉の上部に開閉可能に設置され、廃棄物が投入された後に閉じる上部ゲートと、
前記上部ゲートの下部に開閉可能に設置されて当該上部ゲートとの間に格納空間を形成し、格納空間のある廃棄物を前記熱分解炉の内部に投入させる下部ゲートと、
前記排気パイプと連結されており、前記熱分解炉の内部と連通されるメインパイプに設置され、廃棄物の熱分解時に開いて前記熱分解炉の内の圧力を適切に調節するメインバルブと、
前記排気パイプと連結され、前記熱分解炉の内部と連通される補助パイプに設置され、当該熱分解炉の内の圧力が予め設定された圧力値以上になれば開いてガスを排出させる補助バルブと、
前記熱分解炉から排出されたガスを収容し、水中に曝気してガス中に含まれた有害物質を水に吸着されるようにし、フィルタを介してガスを浄化させるガス浄化装置と、
を含んでなることを特徴とする、廃棄物の熱分解装置。
【請求項２】
前記熱分解炉の上部ゲートの上段に、別途のカバーが開閉可能に設置される廃棄物投入口が備えられたことを特徴とする、請求項１に記載の廃棄物の熱分解装置。
【請求項３】
前記上部ゲート及び下部ゲートは、一定の時間差を置いて開閉がなされるように自動的に制御され、これらの上部ゲート及び下部ゲートは、シリンダーにより作動されるように設置されたことを特徴とする、請求項２に記載の廃棄物の熱分解装置。
【請求項４】
前記排気パイプと連結され、格納空間の内部と連通するガス除去パイプに設置されて、格納空間に残存するガスを排出させるガス除去バルブをさらに含むことを特徴とする、請求項１に記載の廃棄物の熱分解装置。
【請求項５】
前記熱分解炉及び格納空間のガスを排出させるための動力源として備えられる排出ポンプは、補助バルブまたはガス除去バルブが開く時、正常ＲＰＭより高いＲＰＭで作動されてガスを排出させるようにすることを特徴とする、請求項４に記載の廃棄物の熱分解装置。
【請求項６】
前記ガス浄化装置は、
水を内部に格納して、前記熱分解炉から排出されたガスを水中に曝気してガス中に含まれた有害物質を水に吸着されるようにするバブリング槽と、
前記バブリング槽から出たガスを排出させるガス通路と、
前記ガス通路に設置されて有害物質を低減させる吸着剤と、
前記ガス通路に設置されて悪臭を低減させる吸収剤と、
前記ガス通路に設置されて粉塵を低減させるフィルタ部と、
前記ガス通路に設置されて一酸化炭素を無害なガスに変化させる一酸化炭素低減器と、
前記ガス通路に設置されてガスを大気中に排出するようにする排気ポンプと、
を備えたことを特徴とする、請求項１乃至５のうち、いずれか１項に記載の廃棄物の熱分解装置。
【請求項７】
空気吸込口を通じて熱分解炉の内に引き込む空気に磁場を印加するために磁石を配置したことを特徴とする、請求項１乃至５のうち、いずれか１項に記載の廃棄物の熱分解装置。
【請求項８】
煙通路の端部の下段にドレン排出器をさらに含むことを特徴とする、請求項１乃至５のうち、いずれか１項に記載の廃棄物の熱分解装置。
【請求項９】
前記熱分解炉の下段の周りに空気吸込口が設置され、空気吸込口には空気通路の内に磁場を形成する磁石が配置され、これら磁石の磁極配置はＮ極とＮ極とが対向するようにしたり、Ｎ極とＳ極とが対向するようにしたり、Ｎ極とＳ極とが対向せず、行き違いように配置したことを特徴とする、請求項７に記載の廃棄物の熱分解装置。
【請求項１０】
前記熱分解炉で発生するガスからタール成分を除去するためのタールエレメントが熱分解炉のガス出口とガス浄化装置の前端の間にさらに設置されることを特徴とする、請求項６乃至９のうち、いずれか１項に記載の廃棄物の熱分解装置。
【請求項１１】
前記バブリング槽の内には水に消石灰溶液、苛性ソーダ（水酸化ナトリウム）、弱アルカリ合成洗剤、消泡剤などの化学物質を添加して、ガスが曝気されると、ダイオキシン類、タール分、塩素や弗素を含有するハロゲン成分、木酢液などの有害物質が中和されるようにすることを特徴とする、請求項６乃至１０のうち、いずれか１項に記載の廃棄物の熱分解装置。
【発明の詳細な説明】
【技術分野】
【０００１】
本発明は、熱分解装置に関し、より詳しくは、ダイオキシンや大気汚染物質を環境規制値以下に抑制できるようにし、かつ各種廃棄物を熱分解処理する廃棄物の熱分解装置に関する。
【背景技術】
【０００２】
誰でも快適な環境を好む。各種廃棄物は生活ゴミを含んで環境汚染の原因となっており、これらをよく処理するための各種アイディアと装置が開発されている。廃棄物を埋立地に埋め立てる方法もあり、焼いてなくす焼却場もある。
【０００３】
従来の焼却装置のうち、特許文献１に開示された“移動式ゴミ焼却装置”（図示せず）は、炉壁に断熱材２が埋設された鋼鉄材竪立円筒１にノズルが取り付けられた燃焼筒本体Ａと移動式載置台Ｂとが結合された移動式焼却装置において、鋼鉄材竪立円筒１の下段に空気分散ノズルを集合した燃焼用空気進入部３を一定の間隔を置いて複数個配設して空気分散ノズル４は円筒下段の内壁に接して環設され、小孔が多数穿設された空気進入路と連通し、空気分散ノズルは小孔が底部に多数穿設された耐熱鋳鋼材の放射状パイプを介して中央に位置し、小孔が底部に多数穿設された耐熱鋳鋼材の空気供給筒と連通し、空気分散ノズルは小孔が底部に多数穿設された耐熱鋳鋼材の円管パイプと連通してロストルを形成し、円筒１の内に燃焼空気排出管１８を着設し、かつ燃焼空気排出管１８の周壁に小孔を多数穿設して外筒を被せて２次燃焼用の空気が進入するようにし、燃焼筒本体Ａの下方に輪２４が付いた４角形枠組の上に２つの半円型開閉板が互いに対向するように着設されて支持レバーと解脱レバーの操作によって手動で操作される焼却残灰排出装置を形成して、焼却残灰排出装置の直下に通常の焼却残灰回収皿が備えられた移動式載置台Ｂから構成されている（上記の図面符号は、特許文献１の図面に付されたものをそのまま用いた。）。
【０００４】
また、特許文献２には、可燃性廃棄物焼却装置（INCINERATION APPARATUS FOR COMBUSTIBLE RUBBISH）が提案されているが、この装置は燃焼空気を焼却炉自体で加熱して供給し、燃焼火炎の拡散集合を反復施工させることで、燃焼火炎及び燃焼空気が円滑に混合されて完全燃焼するようにし、排出ガスは水中集塵器を通過して排出されるようにすることで、燃焼ガス中に含まれた煤煙、カーボン、及び有毒ガスなどを水に溶解沈殿させて無公害状態に排出されるようにする焼却装置に関するものである。具体的な構成は、図１に示すように、焼却炉の上部に空気噴射孔が多数開いた４角錐型の燃焼物質及び火炎拡散板の周囲に燃焼物質及び火炎誘導口が形成されるように設置し、前、後、左、右に設置された空気噴射孔５が多数開いた横切った空気誘導パイプ、単管からなる空気誘導パイプ、及び燃焼物質及び火炎拡散板の下部には燃焼炉の周囲に形成された空気誘導路と連通されるようにし、焼却炉の一側に着火具を有するものである（上記の図面符号は特許文献２の図１に用いられたものであり、本願に添付した図１のみに限り適用される。）。
【０００５】
廃棄物を焼却する場合に、環境保護の観点から焼却時に発生するダイオキシン類及び大気汚染物質の処理が問題となっている。
【０００６】
ダイオキシン類には多くの異性体があるが、代表的には、ＰＣＤＤ（ポリ塩化ジベンゾダイオキシン）とＰＣＤＦ（ポリ塩化ジベンゾフラン）であり、Ｃｌ（塩素）の置換数によって種々に分類される。ダイオキシン類が熱分解炉で分解されるメカニズムに対しては、廃棄物のうちの熱分解や不完全な熱分解による未熱分解有機物が排ガスのうちの飛灰（fly ash）表面で、塩化銅などの触媒作用により発生する。あるいは、熱分解により発生した多環芳香族炭化水素（ナフタレン、アントラセン、クリセン、ピレン、フェナントレン等多数）が触媒作用により分解したり、熱分解により発生した可燃性ガスが触媒作用により塩素と反応してクロロフェノール（Ｃ6Ｈ3Ｃｌ3Ｏ）という前駆体となって、これが縮合反応によりＰＣＤＤなどのダイオキシン類を生成したりすると推定されている。
【０００７】
以上、説明した熱分解炉において、従来には廃棄物が投入される投入口を通じてガスが外部に漏れ出て作業環境に悪影響を及ぼす問題点があった。また、従来の投入口は人の手で直接ドアを開閉するように設置されているので、作業性も劣る問題点があった。また、熱分解されたガスを排出する過程で、排出口側から一酸化炭素が過度に排出される問題があり、熱分解炉の内に圧力が高まると、ガスが逆流する問題点も発生することがある。
【０００８】
このような問題を解決するために、特許文献３に熱分解炉が公開されているが、図２に示すように、この熱分解炉はダイオキシンや悪臭の発生を抑制し、かつ３００℃以下で各種の廃棄物の熱分解が効率良く進行するものであり、ダイオキシンの再合成反応を抑制できるようにしたものである。この熱分解炉は、図２に示すように、断熱壁により外部空間と分離された空間で投入される廃棄物を分解してガスにて排出する熱分解部と、熱分解部１から排出するガスを水中に曝気して有害物質を水に吸収されるようにした後、排気するバブリング槽を含んでなる。外部空間から遮断され、耐火煉瓦に形成される熱分解部１と、熱分解部の壁部に設けられて空気を熱分解部に自然吸気により吹き込む熱分解用空気吸込口と、空気吸込口を締めることで、熱分解部への空気の流入量を制限する流入空気制限手段と、空気吸込口から熱分解部に空気を誘導する空気通路上に磁場を形成して熱分解用の空気を磁気処理する複数対の磁石と、耐熱容器の内部に棚状の焼き網により廃棄物を支持する廃棄物支持手段と、熱分解部の壁部に設けられた排気ガス排出口と、排気ガス排出口から排出した排気ガスを水槽のなかで曝気して無害化する有害物質の除去処理処置と、排気ガスに含まれるダイオキシン類やプロン類などの難分解物質を吸着する触媒システムと、排気ガスをファン部により大気中に排気する排気手段と、を備えるものである（上記の図面符号は特許文献３の図１に用いられたものであり、本願に添付した図２のみに限り適用される。）。
【先行技術文献】
【特許文献】
【０００９】
【特許文献１】韓国特許公開第１０１９９８００８４７２６号公報
【特許文献２】韓国特許公開第１０２０００００６０３８１号公報
【特許文献３】韓国特許公開第１０２００８００４２５７９号公報
【発明の概要】
【発明が解決しようとする課題】
【００１０】
以上、説明した熱分解炉において、従来には廃棄物が投入される投入口を通じてガスが外部に漏れ出て作業環境に悪影響を及ぼす問題点があった。また、従来の投入口は人の手で直接ドアを開閉するように設置されているので、作業性も劣る問題点があった。
【００１１】
また、熱分解されたガスを排出する過程で、排出口側から一酸化炭素が過度に排出される問題があり、熱分解炉の内に圧力が高まると、ガスが逆流する問題点もある。
【００１２】
また、熱分解されたガスがバブリング槽の水に曝気される時、タールが生成されてバブリング槽の円滑な運転を困難にする問題があった。
【００１３】
本発明の目的は、従来技術の問題点を解決するためのものであって、廃棄物をより容易に投入することができ、投入口側からガスが漏れ出ることを防止するようにすることにある。
【００１４】
本発明の他の目的は、連続投入時、熱分解炉の中の熱分解環境を安定的に維持しながら廃棄物の投入を行なうことができるようにすることにある。
【００１５】
本発明の更に他の目的は、熱分解の後に発生するガスの汚染濃度を低めることにある。
【００１６】
本発明の更なる他の目的は、廃棄物の熱分解時にガスが逆流することを防止することにある。
【００１７】
本発明が達成しようとする技術的課題は、発明の説明から当業者に自明なことまで含む。
【課題を解決するための手段】
【００１８】
本発明の廃棄物の熱分解装置は、炉の内部の燃料と投入された廃棄物を空気吸込口を通じて引き込む空気と反応し、熱分解されるようにしてガスにて排出させる熱分解炉と、熱分解炉の上部に開閉可能に設置され、廃棄物が投入された後に閉じる上部ゲートと、上部ゲートの下部にある格納空間の下に開閉可能に設置され、上部ゲートが閉じた後に開いて格納空間の廃棄物を熱分解炉の内部に投入させる下部ゲートと、熱分解炉から排出されたガスを収容し、水中に曝気してガス中に含まれた有害物質を水に吸着されるようにし、フィルタを介してガスを浄化させるガス浄化装置と、を含んでなる。
【００１９】
本発明の廃棄物の熱分解装置は、熱分解炉の上部には上部ゲート及び下部ゲートが設置され、上段には別のカバーが開閉可能に設置される廃棄物投入口が備えられることを特徴とする。
【００２０】
本発明の廃棄物の熱分解装置は、上部ゲート及び下部ゲートは、一定の時間差を置いて開閉がなされるように自動的に制御され、上部ゲート及び下部ゲートはシリンダーにより作動されるように設置されることを特徴とする。
【００２１】
また、本発明の廃棄物の熱分解装置は、内部空間に投入された廃棄物を空気吹込口を通じて引き込む空気と反応し、熱分解されるようにしてガスにて排出させる熱分解炉と、熱分解炉の上部に開閉可能に設置され、廃棄物が投入された後に閉じる上部ゲートと、上部ゲートの下部に開閉可能に設置されて上部ゲートとの間に格納空間を形成し、上部ゲートが閉じた後に開いて熱分解炉に廃棄物を投入させる下部ゲートと、排気パイプと連結され、熱分解炉の内部と連通されるメインパイプに設置され、廃棄物の熱分解時に開いて熱分解炉の内の圧力を適切に調節するメインバルブと、排気パイプと連結され、熱分解炉の内部と連通される補助パイプに設置され、熱分解炉の内の圧力が予め設定された圧力値以上になれば開いてガスを排出させる補助バルブと、熱分解炉から排出されたガスを収容し、水中に曝気してガス中に含まれた有害物質を水に吸着されるようにし、フィルタを介してガスを浄化させるガス浄化装置と、を含んでなる。
【００２２】
本発明の廃棄物の熱分解装置は、排気パイプと連結され、格納空間の内部と連通するガス除去パイプに設置されて、格納空間に残存するガスを排出させるガス除去バルブをさらに含んでなる。
【００２３】
本発明の廃棄物の熱分解装置は、熱分解炉及び格納空間のガスを排出させるための動力源として排出ポンプが備えられるが、排出ポンプは補助バルブまたはガス除去バルブが開く時、正常ＲＰＭより高いＲＰＭで作動されてガスを排出させるようにすることを特徴とする。
【００２４】
本発明の廃棄物の熱分解装置は、バブリング槽から排出されたガスを排出させる排出管と、バブリング槽から排出されたガスを触媒と反応させてガスの濃度を低めた状態で排出管を通じて外部に排出させるために、流入したガスの一酸化炭素成分を触媒に反応させて二酸化炭素成分に変化させる一酸化炭素低減器と、触媒に接触するガスを触媒との反応に適正な温度に加熱させるヒーターをさらに具備することを特徴とする。
【００２５】
本発明の廃棄物の熱分解装置は、熱分解炉に空気を供給する空気吸込口に磁場を印加するために磁石を配置することを特徴とする。
【発明の効果】
【００２６】
本発明によれば、廃棄物が投入される廃棄物投入口に上部ゲート及び下部ゲートが二重に設置されており、廃棄物が投入されて上部ゲートが閉じた状態で下部ゲートが開くようになる。したがって、ゲートの間に位置したガスが外部に漏れ出ないで作業環境が向上する効果が得られる。そして、ゲートがシリンダーにより作動されるので、作業性が向上する結果をもたらす。
【００２７】
また、本発明によれば、排出口側に排出管を設置し、ガス中の一酸化炭素成分を二酸化炭素に変えるようにした。したがって、排出されるガスの濃度が低くなる効果が得られる。
【００２８】
次に、本発明によれば、熱分解炉の圧力が高まると、ガスが補助バルブにより効果的に排出されるので、ガスの逆流が防止され、廃棄物の熱分解が安定的になされる効果が得られる。
【００２９】
本発明によれば、タールエレメントはタールの蓄積による運転効率の低下を防いで、メインテナンスを容易にし、ドレン排出器の設置により、簡単な操作によりドレンを容易に排出することができ、ヒーターと一酸化炭素低減器の分離によってメインテナンス期間を長くすることができるので、有害性排気ガスの排出を防止し、運転メインテナンス費用を低減することができる。
【図面の簡単な説明】
【００３０】
【図１】特許文献２に開示された従来の可燃性廃棄物焼却装置を説明する図である。
【図２】特許文献３に開示された従来の熱分解炉を説明する図である。
【図３】本発明による廃棄物の熱分解装置の第１実施形態の構成を示す図であって、垂直面が地面に一致するように設置されるものである。
【図４】本発明による廃棄物の熱分解装置の投入口の構成を示す図である。
【図５】本発明のよる廃棄物の熱分解装置の第２実施形態の構成を示す図である。
【図６】タールエレメントの断面図である。
【発明を実施するための形態】
【００３１】
以下、本発明による廃棄物の熱分解装置の好ましい実施形態を添付した図面を参考しつつ詳細に説明する。
【００３２】
図３は本発明による廃棄物の熱分解装置の第１実施形態の構成を示す側面図であり、図４は本発明による廃棄物の熱分解装置の投入口の構成を示す側面図である。
【００３３】
これらの図面に示すように、本発明による熱分解装置は熱分解炉１を有するが、この熱分解炉は、本出願人により先に出願された特許文献３に開示されたように、ダイオキシンや悪臭の発生を抑制し、かつ３００℃以下で各種の廃棄物の熱分解が効率の良く進行されるように改良したものである。
【００３４】
熱分解炉１は実質的に廃棄物の熱分解がなされる部分であり、熱分解炉１は耐火煉瓦２により囲まれている。耐火煉瓦２は円柱状により熱分解炉１を囲んで外部の空間とは実質的に遮断された閉鎖領域を形成する。
【００３５】
熱分解炉１の側面と地面は廃棄物投入状態によって熱分解反応領域と接することができるので、局部的に熱分解温度以上の高温を予想することができるので、耐火煉瓦２の施工を必要とする。しかしながら、熱分解炉１の上部は反応が完了したガスのみ接触するので、局部的にでも異常高温に露出されないので、耐火煉瓦２を具備する必要はないが、設置場所によって安全上の理由により高温安全保護台を設置することができる。
【００３６】
一方、熱分解炉１の下部には空気吸込口（図２の４、５）が備えられて熱分解に必要とされる空気を供給する。空気吸込口４は、多数個のバルブが熱分解炉１の縁を囲むように備えられるが、空気吸込口４の空気通路の内には磁場を形成する磁石が配置される。磁石の配置は、２個または４個を通路の内壁に付着して通路を過ぎる空気に磁場を印加するようにすればよいし、Ｎ極とＮ極とが対向するようにしてもよいし、Ｎ極とＳ極とが対向するようにしてもよいし、行き違うようにＮ極とＳ極とを配置してもよい。磁場が空気に与えられる状態で空気が引き込まれると、低温熱分解時にも火が消えないが、磁場印加無しで空気が引き込まれると、低温熱分解時に火が消える現象があるので、空気吸込口４の通路に磁場を印加することが非常に重要である。
【００３７】
熱分解炉１の内部には、上部廃棄物支持部６及び下部廃棄物支持部８がそれぞれ設置される。熱分解炉１の内部に投入される廃棄物は、上部廃棄物支持部６及び下部廃棄物支持部８によりそれぞれ支持される。上部廃棄物支持部６及び下部廃棄物支持部８にはそれぞれ炭のような熱伝逹部（図示せず）がそれぞれ備えられて、廃棄物の熱分解に必要とされる熱を供給する。ここに、説明していないその他の熱分解炉に対する詳細な説明は、特許文献３に記載された熱分解炉に対する説明を援用する。
【００３８】
熱分解炉１で開放された上部には廃棄物投入口１０が備えられる。廃棄物投入口１０は、熱分解炉１より小さい幅と高さを有するものであって、熱分解炉１の上方に、所定高さに設置される。廃棄物投入口１０は、熱分解炉１に廃棄物が投入される前に一次的に格納される部分である。
【００３９】
廃棄物投入口１０はカバー１２により開閉される。カバー１２は、廃棄物投入口１０の上段に回転可能に設置されて廃棄物投入口１０を開閉するようになる。
【００４０】
そして、廃棄物投入口１０の内部には廃棄物が投入されて一次的に格納される格納空間１４が形成される。格納空間１４の上下方にはそれぞれ上部ゲート１６と下部ゲート１８がそれぞれ回転可能に設置される。上部ゲート１６及び下部ゲート１８は、廃棄物投入口１０の側面に設置された上部シリンダー１７及び下部シリンダー１９により回転される。図３に示すように、上部ゲート１６は上方に回転可能に設置され、下部ゲート１８は下方に回転可能に設置される。
【００４１】
本発明において、廃棄物が投入される廃棄物投入口１０側を二重ゲートに構成したのは、廃棄物で発生するガスが外部に漏れ出ることを遮断するためである。具体的に説明すると、ゲート１６、１８は、同時に開くものでなく、別のプログラムにより時間差を置いて開くように設置される。
【００４２】
また、このように廃棄物投入口１０側を二重ゲートに構成することで、熱分解炉１の内でなされる熱分解環境を安定的に維持しながら連続して廃棄物をさらに投入することができる。
【００４３】
具体的に説明すれば、カバー１２が開いた状態で作業者が外部に備えられた始動ボタンを押すと、上部ゲート１６が開いて廃棄物を投入できるようになる。この状態で、一定時間、例えば１０秒が過ぎれば、上部ゲート１６が自動的に閉じるようにするか、手動でボタンを押して閉じるようにし、上部ゲート１６が閉じた後に一定時間が過ぎれば、自動的に下部ゲート１８が開いて廃棄物が熱分解炉１に投入されるようにしたものである。受動操作でない自動動作は制御装置により制御されるが、この制御装置は一般的に使用される電子制御装置、即ちセンサーの信号が入力されて作動器具を制御する電子制御装置を使用するが、図面が複雑になるのを避けるために図示していない。
【００４４】
廃棄物で発生したガスが上部ゲート１６及び下部ゲート１８により遮断されて漏れ出ることが最小化され、熱分解炉１への外部空気などの投入が防止される。また、作業者が始動ボタンを押すだけで、前述した過程がなされるので、熱分解作業が簡便になる利点がある。
【００４５】
また、廃棄物が熱分解炉１に投入された後、下部ゲート１８が閉じた状態で格納空間１４に残存したガスは後述するガス除去バルブ３０により外部に排気される。
【００４６】
以上、説明したように、ゲート１６、１８が互いに時間差を置いて開閉されるように構成されるので、廃棄物を連続して分解する作業が可能である。具体的に説明すると、従来には廃棄物の分解が終わった後に、またカバーを開いて廃棄物を投入し、また熱分解しなければならなかったが、本発明では投入された廃棄物が熱分解される間に上部ゲート１６を開いて廃棄物を投入することが可能であり、熱分解がなされている間に下部ゲート１８を開いて廃棄物の追加的な投入が可能であるので、連続的な熱分解作業が可能である。
【００４７】
熱分解炉１にはメインパイプ２０が設置されて外部と連通される。メインパイプ２０は、熱分解炉１の内部と連通されて熱分解炉１の圧力を適切に調節する役割をする。メインパイプ２０に排気されるガスはメインバルブ２２により調節される。メインバルブ２２は、始動信号が入力されれば常に開いており、始動信号が消えれば閉じるように制御される。したがって、本発明による熱分解装置の始動中に熱分解炉１のガスはメインパイプ２０を介して排気されながら圧力が適切に維持される。
【００４８】
なお、熱分解炉１の圧力は外部に設置された差圧計により測定される。
【００４９】
熱分解炉１にはメインパイプ２０だけでなく、補助パイプ２４が設置されて、外部と連通される。補助パイプ２４に排気されるガスは補助バルブ２６により調節される。補助バルブ２６は、熱分解炉１の内部圧力が予め入力されている圧力値より高まってメインパイプ２０だけでガスの排出が困難な場合に開いて補助パイプ２４にガスが排気されるようにする。言い換えると、メインバルブ２２は常に開いている状態に維持され、補助バルブ２６は熱分解炉１の内部圧力によって開閉が制御される。
【００５０】
一方、廃棄物投入口１０の格納空間１４に残存するガスは、ガス除去パイプ２８を介して排気される。ガス除去パイプ２８に排気されるガスは、ガス除去バルブ３０により調節される。即ち、廃棄物を投入する過程で、上部ゲート１６と下部ゲート１８との間に残存するガスはガス除去バルブ３０を開くことによりガス除去パイプ２８に排気される。
【００５１】
メインパイプ２０、補助パイプ２４、及びガス除去パイプ２８は、排気パイプ３２に合流する。排気パイプ３２は、パイプ２０、２４、２８を介して漏れ出たガスが合流してバブリング槽３４、４０に運搬される。
【００５２】
バブリング槽３４、４０は、引き込まれるガスがバブルを生じた後、上部に排気されるように構成される。バブリング槽３４、４０の内部に収容されている水は排気パイプ３２の出口より高い程度に維持される。バブリング槽３４、４０に収容される水にはガスの中和作用によって消石灰溶液や苛性ソーダ（水酸化ナトリウム）、弱アルカリ合成洗剤、消泡剤など、その他の化学物質を添加することがよい。このバブリング槽３４、４０にガスが曝気されると、ダイオキシン類、タール分、塩素や弗素を含有するハロゲン成分、木酢液などの有害物質が中和される。
【００５３】
バブリング槽４０の上段にはＵ字型の煙通路４１が備えられている。バブリング槽４０に引き込まれたガスの汚染成分は水を通過して吸着剤４２を通過しながら吸着される。吸着剤４２は、ダイオキシン類やＰＣＢ類などの毒性の高い有機塩素化合物や、これら毒性化合物の前駆体となるクロロベンゼン類などの有機塩素化合物を簡単に無害化することができる。これらの脱臭には、活性炭、コックス炭などの炭素系吸着剤は勿論、ゼオライト、シリカ、アルミナなどの無機系吸着剤も有用に使用できる。また、吸収剤４４を通過したガスはバブリング槽４０に備えられたフィルタ４６を通過しながら無害化される。
【００５４】
以上、説明したバブリング槽３４、４０、煙通路４１、吸着剤４２、吸収剤４４、及びフィルタ４６は、ガスを浄化させるための装置であって、ガス浄化装置と称する。
【００５５】
バブリング槽４０を通過したガスは、排気ポンプ４８を経るようになる。排気ポンプ４８は、熱分解炉１及び格納空間１４に充填されたガスが排気できるように動力を提供する役割をする。即ち、熱分解炉１に充填されたガスが一定圧力以上になれば補助バルブ２６が開いて、この状態で排気ポンプ４８が正常ＲＰＭより高いＲＰＭに予め設定された時間（例えば、４０秒）だけ動作してガスを排出できるようにする。また、排気ポンプ４８は、格納空間１４に充填された残存ガスを排出させる時にも高いＲＰＭで動作される。
【００５６】
排気ポンプ４８を経たガスは排出管５０に引き込まれる。排出管５０の内部にはヒーター５２及び一酸化炭素低減器５４が備えられる。ヒーター５２は、ガスを所定の温度に加熱してガス内の水分を最小化し、触媒との反応がよく起こることができる状態を作り上げる。
【００５７】
一酸化炭素低減器５４は、ガスの反応を促進してガスの濃度を低める役割をする。即ち、排気ガスにたくさん含まれている一酸化炭素と反応して二酸化炭素に作って、排出するガスの濃度を最小化する。本発明において、一酸化炭素低減器５４は、吸着剤４２、吸収剤４４、及びフィルタ４６を通過して浄化されたガスと反応するので、触媒量も相対的に少なく入り、触媒の寿命も長くなる利点がある。
【００５８】
以下、本発明による廃棄物の熱分解装置により廃棄物が熱分解され、熱分解過程で生成されたガスを排出する過程について説明する。
【００５９】
廃棄物の投入前に、まず装置の作動のための電力が投入され、熱分解炉が準備完了する。
【００６０】
作業者は、カバー１２が開いた状態で外部に備えられた始動ボタン（図示せず）を押す。すると、上部ゲート１６が開いて廃棄物が投入される。上部ゲート１６は手動で閉じるか、一定時間が過ぎれば自動的に閉じ、上部ゲート１６が閉じた状態で下部ゲート１８が開く。そして、下部ゲート１８は廃棄物が熱分解炉１に落ちればまた閉じる。以上、説明したゲート１６、１８の動作は、作業者が始動ボタンを押すだけで、自動的になされる。
【００６１】
次に、上部ゲート１６と下部ゲート１８との間に形成された格納空間１４に残存するガスは、ガス除去パイプ２８を介して排出される。即ち、ガス除去バルブ３０が開いて排出ポンプ４８が正常ＲＰＭより高いＲＰＭで動作されながらガスを効果的に排出させる。この際、メインバルブ２２及び補助バルブ２６は閉じた状態である。ガス除去バルブ３０は一定時間、例えば４０秒の間開いた後に、また閉じるようになり、熱分解炉１では廃棄物の熱分解がなされる。
【００６２】
廃棄物が熱分解される過程ではメインバルブ２２が開いて、排出ポンプ４８が正常ＲＰＭで駆動されながら熱分解炉１のガスが適切な圧力に維持できるようにする。
【００６３】
このような過程を経て廃棄物が熱分解される過程で、熱分解炉１に充填されたガスが、設定された圧力値を超える場合が発生することがある。ガスが設定された圧力値を超えてしまえば、逆流する問題が発生するため、これを外部に排気させる必要がある。熱分解炉１の内の圧力は外部に設置された差圧計を通じて確認可能である。
【００６４】
熱分解炉１の内部圧力が一定値以上大きくなれば、補助バルブ２６が開きながら、これと同時に排出ポンプ４８が正常ＲＰＭより高いＲＰＭで作動される。排出ポンプ４８の動力によりガスはメインパイプ２０及び補助パイプ２４を介して排出される。なお、この際、ガス除去バルブ３０は閉じた状態を維持する。
【００６５】
メインパイプ２０及び補助パイプ２４を介して排気されたガスは、排気パイプ３２を介して合流してバブリング槽３４、４０に流入する。バブリング槽３４、４０に流入したガスはバブリング槽３４、４０の内の水、即ち弱アルカリ合成洗剤、消泡剤、消石灰溶液や苛性ソーダ（水酸化ナトリウム）、またはその他の化学物質を添加した水に対する曝気を行う。その過程で、ダイオキシン類、タール分、塩素や弗素を含有するハロゲン成分、木酢液などの有害物質が中和される。
【００６６】
また、バブリング槽４０を通過したガス煙は、煙通路４１に沿って吸着剤４２、吸収剤４４、及びフィルタ４６を経ながら重金属成分やダイオキシン類などの環境負荷物質が除去され、浄化される。
【００６７】
バブリング槽４０と煙通路を通過したガスは排気ポンプ４８を経て排出管５０に流入される。排出管５０に流入されたガスはヒーター５２を経ながら触媒と反応しやすい温度に加熱され、触媒と反応して一酸化炭素成分を二酸化炭素に作る。このようにして煙ガスに含まれた汚染成分が完全に除去されて浄化されたガスが外部に排出される。
【００６８】
図５及び図６に示す本発明の第２実施形態は、前述した第１実施形態にタールエレメント２００を追加し、排出管に設置されるヒーター３００と一酸化炭素低減器４００とを分離してより安全な運転をすることができるようにしたものである。
【００６９】
熱分解炉１とその付属装置１００は第１実施形態と同一であり、バブリング槽３４、４０は、清掃の便宜のためにドレンバルブ３６、４３を下部にそれぞれ設置しており、バブリング槽４０は、内部を観察するために観察用ウィンドウ４５を追加設置し、逆Ｕ字型の煙通路４１の終部にドレン排出器４７を設置したものを除いては、他の部分の構成は第１実施形態と同一である。
【００７０】
このドレン排出器４７は、バルブ４７−１により煙通路端部に連結されてドレンを集めて、集まったドレンをバルブ４７−２により外部に排出するようになっている。このドレン排出器４７は、熱いガスがバブリング槽４０に曝気されて浄化されながら上部に排出される時、水蒸気を含むようになり、このガスが大気温度と似ている煙通路４１の外壁により凝結されるので、この凝結水を分離して排出する必要があるので設置するものである。
【００７１】
ヒーター５２及び一酸化炭素低減器５４は、第１実施形態では垂直となった１つのケースの内に収容したが、本実施形態では、ヒーターは水平に別途のケースに設置し、一酸化炭素低減器４００も別途のケースに製作して垂直に設置した。そして、排気ポンプ４８を一酸化炭素低減器４００の後端に設置した。第１実施形態において、１つのケースの内に収容されたヒーター５２と一酸化炭素低減器５４とを分離することは、触媒としてメタル成分触媒を使用する場合にメタル成分が横になってヒーター５２に落ちるようになり、すると、ニクロム線ヒーターに接触されてスポットを誘発することがあるので、これを改善したものである。
【００７２】
ヒーターで加熱されたガスの温度調節を行うが、一酸化炭素低減器４００の出口側のガスの温度を検出して適正な温度になるようにヒーターの電力を制御する。このようにする理由は、一酸化炭素が触媒により二酸化炭素に変化される時の発熱反応により温度が上昇するので、適切な温度状態に維持するためである。
【００７３】
タールエレメント２００は、一般的にガス中にあるホコリを取ってくれるサイクロンやフィルタタイプの集塵器を使用すればよい。しかしながら、本発明に適した形態の集塵器形態を有するタールエレメントの断面は図６に示す通りである。
【００７４】
タールエレメント２００は、空気の流れを矢印方向に誘導するために、ケース２４０の内に位置した断面が“ト”形態の仕切り板２３０がケースの蓋２４５に付着されている。下部ケース２４０とケース蓋２４５とは、フランジ形態に結合されているので、必要時に分離して清掃するようになっている。該タールエレメント２００において、熱分解炉の排気パイプ３２がインレットパイプ２１０に連結され、タールエレメント２００のアウトレットパイプ２２０はバブリング槽３４のインレットパイプに連結される。
【００７５】
タールエレメントにおいて、煙ガスの流れは矢印方向のように流れるが、仕切り板２３０に突き当てながら流れの方向が変化される時、タール粒子が煙ガスの流れから離脱してタールエレメントに積まれるようになる。仕切り板は水平翼２３５を付着すればより効果的になる。このように積まれたタール粒子及びホコリはタールエレメント２００を分解して清掃する。
【００７６】
第２実施形態の動作も第１実施形態と同一であるので、説明を省略する。但し、積まれたタールの排出やドレン排出器４７の操作は随時手動ですればよい。
【００７７】
本発明の権利範囲は前述した実施形態に限定されず、特許請求の範囲に記載されたことにより定義され、本発明の技術分野で通常の知識を有する者が特許請求の範囲に記載された権利範囲の内で多様な変形と改作をすることができ、このような変形及び改作は本発明の技術思想に含まれる。
【符号の説明】
【００７８】
１  熱分解炉
２  耐火煉瓦
４  空気吸込口
６  上段廃棄物支持部
８  下段廃棄物支持部
１０  廃棄物投入口
１２  カバー
１４  格納空間
１６  上部ゲート
１７  上部シリンダー
１８  下部ゲート
１９  下部シリンダー
２０  メインパイプ
２２  メインバルブ
２４  補助パイプ
２６  補助バルブ
２８  ガス除去パイプ
３０  ガス除去バルブ
３２  排気パイプ
３４，４０  バブリング槽
４１  煙通路
４２  吸着剤
４４  吸収剤
４５  観察用ウィンドウ
４６  フィルタ
４７  ドレン排出器
４７−１，４７−２  バルブ
４８  排気ポンプ
４９，５０  排出管
５２  ヒーター
５４  一酸化炭素低減器（触媒）
１００  熱分解炉とその付属装置
２００  タールエレメント
２１０  インレットパイプ
２３０  仕切り板
２３５  仕切り板水平翼
２４０  ケース
２４１  排出タブ
２４５  ケースの蓋
３００  ヒーター
４００  一酸化炭素低減器
【図１】
0005220162.tif 000002
【図２】
0005220162.tif 000003
【図３】
0005220162.tif 000004
【図４】
0005220162.tif 000005
【図５】
0005220162.tif 000006
【図６】
0005220162.tif 000007